(57)【要約】      （修正有）【課題】任意の時間帯を任意の時間感覚で時刻を運行させる時計の提供。【解決手段】基準クロックを出力する発振回路１と、基準クロックを所定の分周比で分周する分周回路２と、仮想時刻を設定するための入力部３と、設定された時刻に基づき周波数カウント数を算出するカウント回数算出部４と、分周回路で分周されたクロックを、カウント回数算出部で算出されたカウント数に達するまでカウントを行う周波数カウンタ部５と、カウントが終了するとパルス信号を出力するパルス発生部６と、パルス信号を取得して秒カウント、分カウント、時カウントの計時を開始する計時カウンタ部７と、計時状態を取得して表示する表示部８と、これら機能部を制御する処理制御部９と、これら機能部に電源電圧を供給する定電圧回路１０とを少なくとも備える。【選択図】  図１
2006322903.tif 000002
【特許請求の範囲】
【請求項１】
時刻を計時する計時手段と、  
前記計時手段により計時された時刻を表示する表示部と、
現実時間と異なる任意の仮想時間、前記仮想時間で時刻の運行を開始させる仮想開始時刻、及び、前記仮想時間での時刻の運行を停止させる仮想終了時刻を入力する入力部と、
前記入力部より入力された仮想時間に基づいて時刻を計時するように前記計時手段を制御する制御部と
を備えることを特徴とする電子時計。
【請求項２】
基準クロックを出力する発振回路と、
当該基準クロックを所定の分周比で分周する分周回路と、
仮想時刻を設定するための入力部と、
前記設定された時刻に基づき周波数カウント数を算出するカウント回数算出部と、
前記分周回路で分周されたクロックを、前記カウント回数算出部で算出されたカウント数に達するまでカウントを行う周波数カウンタ部と、
当該カウントが終了するとパルス信号を出力するパルス発生部と、
当該パルス信号を取得して秒カウント、分カウント、時カウントの計時を開始する計時カウンタ部と、
当該計時状態を取得して表示する表示部と、
これら機能部を制御する処理制御部と、
これら機能部に電源電圧を供給する定電圧回路とを少なくとも備える電子時計。
【請求項３】
前記入力部は、仮想開始時刻、仮想終了時刻、及び仮想時間を入力する時刻入力部を備え、
前記カウント回数算出手段は、前記仮想終了時刻から前記仮想開始時刻を減算し、その結果を仮想時間で除算して、更にその結果に通常時の１秒あたりのクロックカウント数を乗算して得た新たなカウント数を前記周波数カウンタ部に出力することを特徴とする請求項２記載の電子時計。
【発明の詳細な説明】
【技術分野】
【０００１】
本発明は、電子時計に関し、特に、任意の時間帯につき任意の時間間隔で時刻を運行させることができる電子時計に関する。
【背景技術】
【０００２】
従来より、様々な形態の電子時計・電波時計が提案されており、正確に時間を計時して時刻を運行させる通常のモードの他に、正確な時間よりも早く時刻を進行させることができるモードを備える時計がある。このような時計としては、初期設定時等に時刻を正確に合わせるために、時刻設定ボタンを押すと、標準時間に係る情報を電波で受信して、現在時刻に達するまで秒針が通常よりも早く回転する電波時計が知られている。また、特許文献１には発振器の出力を計時基準とする電子時計であって、使用により表示時刻が現在時刻より遅れたり、反対に早く進んだ場合に、モードを切り替えることにより、時刻を通常よりも早く進行させて、素早く簡単に正しい時刻に補正することができる電子時計の補正技術が開示されている。
【特許文献１】特開２００４−３２５３１６号公報
【発明の開示】
【発明が解決しようとする課題】
【０００３】
ところで、人間の時間感覚はあいまいで、その過ごし方によって時間が早く進んでいるように感じたり、逆に遅く進んでいるように感じたりするものであるため、時刻を知るためには時計を頼りにする。とすると、時計の時刻を任意の時間間隔すなわち仮想時間で運行させ、その時計により仮想時間で運行させた場合の時刻すなわち仮想時刻を知るようにすれば、同じ時間を違った感覚で過ごすことができて便利である。すなわち、現実時間よりも早く時刻を進行させれば、例えば、現実時間と仮想時間の差を有効に利用することができる。また、現実時間よりも遅く時刻を進行させれば、例えば、実際よりも余裕があるように認識してゆったりとした気持ちで時間を過ごすことができる。
【０００４】
しかしながら、従来の電子時計では、時刻を正確に合わせるためにのみ、時刻を通常よりも早く進行させる機能しか備えていなかった。
【０００５】
そこで本発明は、任意の時間帯を任意の時間間隔で時刻を運行させることができる電子時計を提供するものである。
【課題を解決するための手段】
【０００６】
上記課題を解決するために請求項１記載の本発明は、時刻を計時する計時手段と、前記計時手段により計時された時刻を表示する表示部と、現実時間と異なる任意の仮想時間、前記仮想時間で時刻の運行を開始させる仮想開始時刻、及び、前記仮想時間での時刻の運行を停止させる仮想終了時刻を入力する入力部と、前記入力部より入力された仮想時間に基づいて時刻を計時するように前記計時手段を制御する制御部とを備えることを特徴とする。
【０００７】
また、請求項２記載の発明は、基準クロックを出力する発振回路と、当該基準クロックを所定の分周比で分周する分周回路と、仮想時刻を設定するための入力部と、前記設定された時刻に基づき周波数カウント数を算出するカウント回数算出部と、前記分周回路で分周されたクロックを、前記カウント回数算出部で算出されたカウント数に達するまでカウントを行う周波数カウンタ部と、当該カウントが終了するとパルス信号を出力するパルス発生部と、当該パルス信号を取得して秒カウント、分カウント、時カウントの計時を開始する計時カウンタ部と、当該計時状態を取得して表示する表示部と、これら機能部を制御する処理制御部と、これら機能部に電源電圧を供給する定電圧回路とを少なくとも備えることを特徴とする。
【０００８】
請求項３記載の本発明は、請求項２記載の本発明であって、前記入力部は、仮想開始時刻、仮想終了時刻、及び仮想時間を入力する時刻入力部を備え、前記カウント回数算出手段は、前記仮想終了時刻から前記仮想開始時間を減算し、その結果を仮想時間で除算して、更にその結果に通常時の１秒あたりのクロックカウント数を乗算して得た新たなカウント数を前記周波数カウンタ部に出力することを特徴とする。
【発明の効果】
【０００９】
本発明によれば、ある一定の現実時間を長く感じさせたり、短く感じさせたりすることができる。特に時間を短く感じさせた場合、現実時間と仮想時間の差が生じることにより、使用者に違和感を与えることなく時間を創出することができ、使用者はその時間を有効に利用することができる。
【発明を実施するための最良の形態】
【００１０】
以下、図面を参照して、本発明を実施するための最良の形態を説明する。
【００１１】
図１は、本発明の第１の実施の形態に係る電子時計の構成を示すブロック図である。
【００１２】
この電子時計は、基準クロックを出力する発振回路１と、この基準クロックを所定の分周比で分周する分周回路２と、仮想時刻を設定するための入力部３と、設定された時刻に基づき周波数カウント数を算出するカウント回数算出部４と、分周回路２で分周されたクロックをカウント回数算出部４で算出されたカウント数に達するまでカウントする周波数カウンタ部５と、このカウントが終了するとパルス信号を出力するパルス発生部６と、パルス信号を取得して秒カウント、分カウント、時カウントの計時を開始する計時カウンタ部７と、この計時状態を取得して表示する表示部８と、これら機能部を制御する処理制御部９と、これら機能部に電源電圧を供給する定電圧回路１０とを少なくとも備えている。
【００１３】
ここで発振回路１とは、水晶振動子、コンデンサー、抵抗、増幅素子から構成され、生成された発振信号を基準クロックとして出力する回路である。本実施の形態においてこの発振回路１は、基準クロックとして１２．８ＭＨｚの周波数を出力する。発振回路１を構成する振動子の種類には、前述した水晶振動子以外にセラミック振動子が挙げられる。また発振回路１には、前述の構成を有する発振回路以外に、ＲＣ発振回路、水晶振動子内臓オシレータ、水晶振動子・分周器内臓オシレータ、ＰＬＬ（Phase Locked Loop:位相同期回路）などが挙げられる。これら振動子および発振回路の選択は要求される周波数精度や消費電力またはコストを加味して適時選択されるものとする。
【００１４】
分周回路２とは、発振回路１から取得した基準クロック信号を入力とし、このクロック信号に同期させて所定の分周比で分周を行う回路である。分周されたクロック信号は周波数カウンタに出力される。
【００１５】
周波数カウンタは、分周回路２から分周されたクロック信号を取得すると共に、カウンタ回数算出部からカウント回数を取得し、この周波数をカウント回数分だけ計数する機能部である。カウントが終了するとカウント終了信号を処理制御部９に出力する。
【００１６】
入力部３は、現実の時刻表示させる通常モード選択ボタンと、仮想時刻を表示させる仮想モード設定ボタンと、仮想開始時刻、仮想終了時刻、及び仮想時間を設定するための秒設定部ボタン、分設定部ボタン時設定部ボタンを少なくとも備える。
【００１７】
カウント回数算出部４は、処理制御部９からの仮想開始時刻、仮想終了時刻、及び仮想時間を取得すると、下記式（１）に基づきカウント回数を算出して、その値を周波数カウンタに出力する。
【００１８】
カウント回数＝
｛（仮想終了時刻Ｂ―仮想開始時刻Ａ）／仮想時間Ｃ｝×３１２５  ・・・式（１）
なお、カウント回数算出部４及び処理制御部９は、請求項１における制御部を構成する。
【００１９】
パルス発生部６は、処理制御部９からパルス発生指示を取得すると、パルス信号を生成して計時カウンタに出力する機能部である。
【００２０】
計時カウンタは、秒カウンタ、分カウンタ、時カウンタを備え、パルス発生部６からパルス信号を取得すると、秒カウンタのカウントを開始する機能部である。秒カウンタにて６０回のカウントが完了すると同時に分カウンタのカウントが桁上げされる。これを繰り返し、分カウンタのカウント数が６０回になると、時カウントのカウントが桁上げされる。
【００２１】
なお、発振回路１、分周回路２、周波数カウンタ部５、パルス発生部６、及び計時カウンタ部７は、請求項１における計時手段を構成する。
【００２２】
表示制御部１１は、処理制御部９から、秒カウンタ値、分カウンタ値、及び時カウンタ値を取得し、これをキャラクターコードに変換して表示部８に出力する機能部である。
【００２３】
表示部８は、秒表示部、分表示部、時表示部、及び文字表示部を備えており、表示制御部１１からキャラクターコードを取得すると、このコードに対応する数値又は文字をこれら表示部の各セグメントを発光させることで表示する機能部である。
【００２４】
記憶部１２は、処理の手順を記述したプログラムや処理されるべきデータを一時的に記憶し、処理制御部９の要請に従ってプログラムの機械命令やデータを引き渡す機能部である。
【００２５】
定電圧回路１０は、これら電子回路に安定した電源電圧を供給する手段であって、特に、動作周波数の高い回路部分（例えば、発振回路、分周回路）の電源電圧を、定電圧回路１０を使って定電圧化した低い電圧を供給し、時計の安定化を図る回路である。
【００２６】
次に、図２を参照して本発明の実施の形態に係る電子時計の処理手順を説明する。
【００２７】
まず、ステップＳ１において、電源を投入すると定電圧回路１０から各機能に大して供電が開始される。ステップＳ２において、周波数カウンタ部のカウント値が初期値（Ｄ＝０）に設定され、同時に秒カウンタＳ、分カウンタＭ、時カウンタＨも初期値（Ｓ＝０、Ｍ＝０、Ｈ＝０）に設定される。
【００２８】
ステップＳ３において、処理制御部９は入力部３の通常モード選択ボタンと仮想モード選択ボタンのどちらが選択されているかを検出する。ここで通常モード選択ボタンが選択されていることを検出した場合はステップＳ４に進み、仮想モード選択ボタンが選択されていることを検出した場合はステップＳ２０（図３）に進む。
【００２９】
ステップＳ４において、処理制御部９は、発振回路１から出力される１２．８ＭＨｚの基準クロック信号を分周回路２で３．１２５ＫＨｚまで分周させ、周波数カウンタ部に出力させる。周波数カウンタ部は、この周波数をカウントすると共に、現在のカウント値Ｄが３１２５に達しているか否か判定する。まだカウント値Ｄが３１２５に達していない場合はステップＳ５に進み、このＤに１を加算して再度ステップＳ３、Ｓ４の処理を繰り返す。Ｄ＝３１２５に達したことを検出したときは、ステップＳ６において、パルス信号が出力される。
【００３０】
ステップＳ７において、計数カウント部は、パルス信号を取得すると、秒カウンタ値Ｓに１を加算し、ステップＳ８においてこの値を表示部８に出力する。ここでステップＳ９において、秒カウンタが６０に達したか否か判定し、達していない場合はＳ３に戻りＳ３〜Ｓ８の処理を繰り返す。ここでＳ＝６０であることを検出した場合はステップＳ１０に進む。
【００３１】
ステップＳ１０〜Ｓ１１において、計数カウンタ部の分カウンタは、Ｍに１を加算して桁上げを行い、この値を表示部８に出力する。
【００３２】
ステップＳ１２において、分カウンタが６０に達したか否か判定し、達していない場合はＳ３に戻りＳ３〜Ｓ１１までの処理を繰り返す。ここでＭ＝６０であることを検出した場合はステップＳ１３に進む。
【００３３】
ステップＳ１３〜Ｓ１４において、Ｈカウンタは、Ｈに１を加算して桁上げを行い、この値を表示部８に出力する。
【００３４】
ステップＳ１５において、時カウンタが２４に達したか否か判定し、達していない場合はＳ３に戻りＳ３からＳ１４までの処理を繰り返す。ここでＨ＝２４であることを検出した場合はステップＳ２に戻る。
【００３５】
以上の処理が通常モードの計時処理である。次に仮想モードの処理を説明する。
【００３６】
図２のステップＳ２において仮想モード選択ボタンが選択されていることを検出すると、ステップＳ２０において、入力部３から仮想開始時刻Ａ、仮想終了時刻Ｂ、仮想時間Ｃを更に取得する。
【００３７】
ステップＳ２１において、カウンタ回数算出部は、この仮想終了時刻Ｂから仮想開始時刻Ａを減算し、これを仮想時間Ｃで除算して、その結果得られた値に３１２５を乗算してカウント回数Ｘを求めて、この値Ｘを周波数カウンタ部に出力する。
【００３８】
ステップＳ２２において、処理制御部９は、現在の時刻が仮想開始時刻であるか否かを検出し、仮想開始時刻に達した場合はステップＳ２３に進む、未だ仮想開始時刻に達していない場合は、ステップＳ４(図２)に戻って、通常モードの計時を引き続き行う。
【００３９】
ステップＳ２３において、処理制御部９は、発振回路１から出力される１２．８ＭＨｚの基準クロック信号を分周回路２で３．１２５ＫＨｚまで分周させ、この周波数をカウント値ＤがＸに達しているか否か判定する。まだ達していない場合はステップＳ２４に進み、Ｄに１を加算して再度ステップＳ２３の処理を繰り返す。
【００４０】
ステップＳ２５において、処理制御部９は、ステップＳ２３でＤ＝Ｘに達したことを検出するとパルス発生部６からパルス信号を出力させる。
【００４１】
ステップＳ２６において、秒カウンタの値Ｓに１が加算されると、ステップＳ２７においてこの値を表示部８に出力する。
【００４２】
ここでステップＳ２８において、処理制御部９は、仮想終了時刻に達したか否かを検出し、未だ仮想終了時刻に達していないことを検出した場合はステップＳ２９に進む。ここで仮想終了時刻に達していることを検出した場合はＳ４（図２）に戻って、通常モードの計時を開始する。
【００４３】
ステップＳ２９において、処理制御部９は、計時カウンタ部７の秒カウンタが６０に達したか否か判定を行い、達していない場合はＳ２３に戻りＳ２３〜Ｓ２８の処理を繰り返し、Ｓ＝６０であることを検出した場合はステップＳ２９に進む。
【００４４】
そしてステップＳ３０〜Ｓ３１において、分カウンタは、Ｍに１を加算して桁上げを行い、この値を表示部８に出力する。
【００４５】
ステップＳ３２において、処理制御部９は、分カウンタが６０に達したか否か判定し、達していない場合はＳ２３に戻りＳ２３からＳ３１までの処理を繰り返す。ここでＭ＝６０であることを検出した場合はステップＳ３３に進む。
【００４６】
ステップＳ３３〜Ｓ３４において、Ｈカウンタは、Ｈに１を加算して桁上げを行い、この値を表示部８に出力する。そしてステップＳ３５において、時カウンタが２４に達したか否かを判定し、達していない場合はＳ２３に戻りＳ２３からＳ３４までの処理を繰り返す。ここでＨ＝２４であることを検出した場合はステップＳ２（図２）に戻る。
【００４７】
以上の仮想時間処理により、使用者が仮想開始時刻Ａ、仮想終了時刻Ｂ、仮想時間Ｃを設定すると、仮想開始時刻Ａから仮想終了時刻Ｂまでの時間を自由自在に伸縮させて表示させることができる。これにより、ある一定の現実時間を、長く感じさせたり、短く感じさせたりすることができる。また時間を短く感じさせた結果、その分が蓄積されて、使用者に違和感を与えることなく最終的に時間の蓄積を還元することができる。
【００４８】
次に、具体的な使用方法を説明する。
【００４９】
ここで仮に現在時刻が１２：００で、人との待ち合わせ時刻が１４：００であって、１３：００〜１４：００の１時間の時間を早く進めて待ち合わせ時間に余裕を持って着きたいとする。
【００５０】
この場合、まず本発明の電子時計の仮想モード選択ボタンを選択し、次いで、仮想開始時刻Ａ（１３：００）、仮想終了時刻Ｂ（１４：００）と入力し、仮想時間Ｃを６５分と設定する。このときカウント回数は、式（１）より、（６０[min]／６５[min]）×３１２５＝約２８８５回となるので、これを周波数カウンタ部５に設定して計数を行う。
【００５１】
これにより通常ならば３１２５回カウントすると１秒とみなしていたところを、２８８５回カウントしたら１秒とみなすため、１秒当たり約８％〜９％程度短く計数されることになる。これを分、時間・・・と蓄積を重ねると、最終的に５分の余裕時間が生まれる。すなわち、本発明の電子時計は１４：００を表示しているが、現在時刻は１３：５５である、という具合である。
【００５２】
このようなことから使用者は本発明の電子時計の計時に従っていつもの通りに待ち合わせ場所に向かえば、電子時計が１４：００を表示したところで、現在時刻の約１３：５５に切り替わるので、５分前に到着することができる。本発明の特徴は、予め時間を５分進めておく場合と違って、ある範囲の時間の中で少しずつ時間の伸縮を行うので、人間の感覚に無理を与えずに時間を制御することができる点にある。
【００５３】
このような理屈から、本発明の電子時計をマラソンのペースメーカとして利用すると、走る間だけ時計を早めることができ、しかもその計時が無理なく自然に行われるので、走者の心理状態に負担をかけずに記録を向上させる可能性がある。
【００５４】
また１日２４時間の計時の全てについて約５％、時間を早めると、１日当たり約１時間の時間の余裕ができる。これにより２５時間分の時間を過ごす感覚を得ることができる。
【００５５】
なお、本実施の形態においては、分周回路２による分周後の周波数を変えることなく、周波数カウンタ部５における周波数のカウント回数を変更することにより、進行させる時間を伸縮させるようにしたが、分周回路による分周回数を仮想時間に応じて変更して分周後の周波数を変えることにより、周波数のカウント回数を変更することなく進行させる時間を伸縮させるようにしてもよい。
【００５６】
また、本実施の形態では、時刻をデジタル形式で表示するようにしたが、アナログ形式で表示するようにしてもよい。具体的には、時刻を表示する指針の内の秒針を、パルス発生部６により発生された１パルス毎に６度ずつ回転させるようにするとよい。また、秒針を運行させるための運針モータの秒針を現実時間で運行させる場合における回転速度に、仮想終了時刻から仮想開始時刻を減算した値を仮想時間で除算して得た値を乗算した速度で運針モータを回転させるように、運針モータに電圧を印加する電源を制御して印加電圧値を変更するようにしてもよい。なお、この場合における電源やこれを制御する制御装置は計時手段を構成する。
【００５７】
以上説明した本発明に係る電子時計は、腕時計、置時計、掛時計のいずれの時計にも適用可能であり、必要に応じて携帯電話や車の時計などに組み込むようにしてもよい。
【図面の簡単な説明】
【００５８】
【図１】本発明の実施の形態に係る電子時計の構成を示すブロック図である。
【図２】本発明の実施の形態に係る電子時計の通常モード選択時の計時処理を示すフローチャートである。
【図３】本発明の実施の形態に係る電子時計の仮想モード選択時の計時処理を示すフローチャートである。
【符号の説明】
【００５９】
１…発振回路
２…分周回路
３…入力部
４…カウント回数算出部
５…周波数カウンタ部
６…パルス発生部
７…計時カウンタ部
８…表示部
９…処理制御部
１０…定電圧回路
１１…表示制御部
１２…記憶部
【図１】
2006322903.tif 000003
【図２】
2006322903.tif 000004
【図３】
2006322903.tif 000005